(57)【要約】【課題】  スライド扉を確実に密閉状態に閉止維持し、また、スライド扉の開閉時の衝撃の緩和を図れるようにしたスライド扉のストッパ装置を提供すること。【解決手段】  庫体における庫口の上部側に水平に配設される案内レール３と、庫口を開閉する扉体５と、扉体の上部に装着される吊り具６に取り付けられ、案内レールに転走可能な溝付きの車輪７と、案内レールの適宜箇所に取り付けられて、吊り具の移動を止めるストッパ８とを具備するスライド扉において、案内レールにおけるストッパの取り付け側部位の車輪走行面を、庫体側に向かって屈曲形成し、ストッパの上方に、ばね力の付勢によって水平状態に維持され、鉛直方向に揺動自在なアーム９２を配設し、アームの自由端側に、車輪の溝７ａ上部に係脱可能に当接する少なくとも下端に弧状凸部を有する係止部材であるローラ９５を取り付けると共に、このローラを庫口の奥行き方向に移動可能に形成する。【選択図】    図７
2006265889.tif 000002
【特許請求の範囲】
【請求項１】
庫体における庫口の上部側に水平に配設される案内レールと、上記庫口を開閉する扉体と、この扉体の上部に装着される吊り具に取り付けられ、上記案内レールに転走可能に係合する溝付きの車輪と、上記案内レールの適宜箇所に取り付けられて、上記吊り具の移動を止めるストッパとを具備するスライド扉において、
上記案内レールにおける上記ストッパの取り付け側部位の車輪走行面を、上記庫体側に向かって屈曲形成し、
上記ストッパの上方に、ばね力の付勢によって水平状態に維持され、鉛直方向に揺動自在なアームを配設し、
上記アームの自由端側に、上記車輪の溝上部に係脱可能に当接する少なくとも下端に弧状凸部を有する係止部材を取り付けると共に、この係止部材を上記庫口の奥行き方向に移動可能に形成してなる、ことを特徴とするスライド扉のストッパ装置。
【請求項２】
請求項１記載のスライド扉のストッパ装置において、
上記係止部材を、アームの自由端側に横設される支持軸に摺動自在に嵌装すると共に、アームとの間に介在されるばね部材の弾性力の付勢により、係止部材を庫体外側へ押圧してなる、ことを特徴とするスライド扉のストッパ装置。
【請求項３】
請求項１又は２記載のスライド扉のストッパ装置において、
上記係止部材を、アームの自由端側に横設される支持軸に回転自在に嵌装されるローラにて形成してなる、ことを特徴とするスライド扉のストッパ装置。
【請求項４】
請求項１ないし３のいずれかに記載のスライド扉のストッパ装置において、
上記スライド扉を両開き式の一対の扉体にて形成してなり、
上記両扉体における案内レール同士を庫口の中央部において連結部材を介して連結すると共に、連結部材に装着される取付部材に、両扉体のストッパ、アーム及び係止部材を取り付けてなる、ことを特徴とするスライド扉のストッパ装置。
【発明の詳細な説明】
【技術分野】
【０００１】
この発明は、スライド扉のストッパ装置に関するもので、更に詳細には、例えば冷蔵庫や冷凍庫等の建造物の庫体の出入口用庫口におけるスライド扉のストッパ装置に関するものである。
【背景技術】
【０００２】
一般に、建造物の出入口用開口部を開閉する扉の開閉手段として、スライド扉が広く使用されている。従来、この種のスライド扉には、扉の跳ね返りを防止するために、庫口の上部側に水平に配設される案内レールの所定箇所に、スライド扉の戸車付き扉吊り具の移動を止めるストッパが備えられており、ストッパの上方にストッパより左右両側にのびている揺動自在なアームが水平状に配置され、揺動アームの先端部に、レール上を移動する戸車の上部に当たるローラまたは下向き孤状凸部が設けられ、揺動アームの他端部に、該アームを水平状態に保つように付勢するスプリングが取り付けられた構造のスライド扉のストッパ装置が知られている（例えば特許文献１参照）。
【０００３】
このように構成されるスライド扉のストッパ装置は、片開き式のスライド扉においては、扉開放側の端部に設けられ、両開き式のスライド扉においては、ストッパ装置は、庫口の中央上部に対応する案内レールの中間箇所に設けられている。
【特許文献１】特開２００１−２２７２３８号（「特許請求の範囲」、段落番号００１０，００２８、図１，図２）
【発明の開示】
【発明が解決しようとする課題】
【０００４】
ところで、冷蔵庫等においては断熱及び気密性を維持するために、庫口の外側近くの所定箇所には、扉体を庫口の周縁部の三方枠に押し付けて密閉するための扉下端部押付けローラが配置されている。
【０００５】
しかしながら、特開２００１−２２７２３８号公報に記載のものにおいては、両開き式スライド扉の場合、庫口中央部に扉下端部押付けローラが位置し、保冷物の出し入れの際に支障をきたすという問題があった。また、扉体を庫体側に押し付けるために案内レールを庫口の奥行き側に屈曲形成すると、戸車の軌道が直線でなくなるため、特開２００１−２２７２３８号公報に記載のものにおいては、戸車の係止が困難になる虞がある。
【０００６】
この発明は、上記事情に鑑みてなされたもので、スライド扉を確実に密閉状態に閉止維持し、また、スライド扉の開閉時の衝撃の緩和を図れるようにしたスライド扉のストッパ装置を提供することを課題とする。
【課題を解決するための手段】
【０００７】
上記課題を解決するために、請求項１記載の発明は、庫体における庫口の上部側に水平に配設される案内レールと、上記庫口を開閉する扉体と、この扉体の上部に装着される吊り具に取り付けられ、上記案内レールに転走可能に係合する溝付きの車輪と、上記案内レールの適宜箇所に取り付けられて、上記吊り具の移動を止めるストッパとを具備するスライド扉において、  上記案内レールにおける上記ストッパの取り付け側部位の車輪走行面を、上記庫体側に向かって屈曲形成し、  上記ストッパの上方に、ばね力の付勢によって水平状態に維持され、鉛直方向に揺動自在なアームを配設し、  上記アームの自由端側に、上記車輪の溝上部に係脱可能に当接する少なくとも下端に弧状凸部を有する係止部材を取り付けると共に、この係止部材を上記庫口の奥行き方向に移動可能に形成してなる、ことを特徴とする。
【０００８】
このように構成することにより、扉体の開閉動作に伴って車輪が案内レールに沿って移動して、吊り具がストッパに衝突する際、車輪が案内レールの屈曲部に沿って移動すると、車輪によって揺動アームの自由端部に取り付けられた係止部材が弾性力に抗して上方に移動すると共に、車輪の移動に追従して庫口の奥行き方向に移動した後、弾性力の付勢によって車輪の溝上部に当接係合する。
【０００９】
また、請求項２記載の発明は、請求項１記載のスライド扉のストッパ装置において、上記係止部材を、アームの自由端側に横設される支持軸に摺動自在に嵌装すると共に、アームとの間に介在されるばね部材の弾性力の付勢により、係止部材を庫体外側へ押圧してなる、ことを特徴とする。
【００１０】
このように構成することにより、ばね部材の弾性力によって係止部材が庫体外側に押圧された状態を維持するので、係止部材はばね部材の弾性力の付勢により、車輪の溝部に確実に係合すると共に、ばね部材の弾性力に抗して庫口の奥行き方向に移動する。
【００１１】
また、請求項３記載の発明は、請求項１又は２記載のスライド扉のストッパ装置において、上記係止部材を、アームの自由端側に横設される支持軸に回転自在に嵌装されるローラにて形成してなる、ことを特徴とする。
【００１２】
このように構成することにより、車輪と係合する際にローラが回転するので、車輪とローラとの摩擦抵抗を低減することができる。
【００１３】
加えて、請求項４記載の発明は、請求項１ないし３のいずれかに記載のスライド扉のストッパ装置において、  上記スライド扉を両開き式の一対の扉体にて形成してなり、  上記両扉体における案内レール同士を庫口の中央部において連結部材を介して連結すると共に、連結部材に装着される取付部材に、両扉体のストッパ、アーム及び係止部材を取り付けてなる、ことを特徴とする。
【００１４】
このように構成することにより、両開き式のスライド扉を構成する両扉体を庫体側に移動させた状態で閉止させることができる。また、両扉体における案内レール同士を庫口の中央部において連結する連結部材を用いて、両扉体のストッパ、アーム及び係止部材を取り付けることができる。
【発明の効果】
【００１５】
この発明によれば、上記のように構成されているので、以下のような効果が得られる。
【００１６】
（１）請求項１記載の発明によれば、扉体の開閉動作に伴って吊り具がストッパに衝突する際、車輪が案内レールの屈曲部に沿って移動し、これに伴って車輪によって揺動アームの自由端部に取り付けられた係止部材が弾性力に抗して上方に移動すると共に、車輪の移動に追従して庫口の奥行き方向に移動した後、弾性力の付勢によって車輪の溝上部に当接係合するので、スライド扉を確実に密閉状態に閉止維持することができると共に、スライド扉の開閉時の衝撃の緩和を図ることができる。
【００１７】
（２）請求項２に記載の発明によれば、係止部材はばね部材の弾性力の付勢により、車輪の溝部に確実に係合すると共に、ばね部材の弾性力に抗して庫口の奥行き方向に移動するので、上記（１）に加えて、更に扉体の閉止を確実にすることができると共に、ばね部材の弾性力にて衝撃を吸収して衝撃力を緩和することができる。
【００１８】
（３）請求項３記載の発明によれば、車輪と係合する際にローラが回転することにより、車輪とローラとの摩擦抵抗を低減することができるので、上記（１），（２）に加えて、更にスライド扉の開閉時の衝撃の緩和を図ることができると共に、吊り具の装着部への負荷を軽減することができる。
【００１９】
（４）請求項４記載の発明によれば、両開き式のスライド扉を構成する両扉体を庫体側に移動させた状態で閉止させることができるので、庫口の中央部の床面に、扉体を庫体側に押し付ける扉下端押し付け部材を設ける必要がない。したがって、上記（１）〜（３）に加えて、更に庫口の中央床部に扉下端押し付け部材を設けることなく両開き式のスライド扉の閉止維持を確実にすることができる。また、両扉体における案内レール同士を庫口の中央部において連結する連結部材を用いて、両扉体のストッパ、アーム及び係止部材を取り付けることができるので、各扉体の案内レールに取付部材を介してストッパ、アーム等を取り付ける場合に比べて構成部材の削減を図ることができると共に、組立作業を容易にすることができる。
【発明を実施するための最良の形態】
【００２０】
以下に、この発明に係るスライド扉のストッパ装置の最良の形態を添付図面に基づいて詳細に説明する。ここでは、この発明に係るスライド扉のストッパ装置をプレハブ式冷蔵庫の両開き式スライド扉に適用した場合について説明する。
【００２１】
図１は、この発明に係るスライド扉の一例を示す概略正面図、図２は、上記スライド扉の縦断面図、図３は、この発明に係るストッパ装置を示す正面図、図４は、図３の左側面図である。
【００２２】
上記スライド扉は、プレハブ式冷蔵庫の庫体１に開設された庫口２の上部側に水平状に配設される案内レール３と、この案内レール３を直線状に載置固定するレール取付部材４と、庫口２を開閉する扉体５と、この扉体５の上端部に吊り具６を介して装着されると共に、案内レール３を転走する溝付き車輪７（以下に車輪７という）と、案内レール３の適宜箇所例えば端部に取り付けられて、吊り具６の移動を止めるストッパ８と、車輪７と係合するロック機構９とを具備している。
【００２３】
上記案内レール３は、図４に示すように、レール面３０が断面逆Ｖ字状に隆起する断面略中空矩形状の複数のアルミニウム製押出形材にて形成されるレール基部３１と、このレール基部３１の中空部に嵌挿されて連接される断面略矩形状のピース状のプラスチック製ガイド部材３２とで構成されている。
【００２４】
上記ガイド部材３２は、図１及び図３に示すように、扉体５の上部両端部に装着される車輪７に対応するように、案内レール３の閉止側前端部と閉止側後端部（開放側前端部）に配設されている。このガイド部材３２は、図４ないし図６に示すように、車輪７の走行面が上記庫体１側に向かって円弧状に屈曲する屈曲部３３が形成され、両端に突出する嵌合突部３５がレール基部３１に嵌合されて、固定ボルト３６によって固定され、レール面３４が、レール基部３１のレール面３０と同じ高さになるように組み付けられ（連接され）ている。なお、上記レール基部３１及びガイド部材３２は、レール面３０，３４が少なくとも断面逆Ｖ字状に隆起するものであれば、断面は必ずしも矩形状である必要はない。また、ガイド部材３２の屈曲部３３は必ずしも円弧状である必要はなく、傾斜直線状であってもよい。
【００２５】
上記のように構成されるレール基部３１とガイド部材３２は、庫体１に取付ボルト４１をもって取り付けられるレール取付部材４に載置されると共に、固定ボルト３６をもって固定されている。この場合、レール取付部材４は、図２に示すように、レール基部３１とガイド部材３２とを載置する断面Ｖ字状の保持部４２と、この保持部４２の一端から傾斜状に延在する傾斜部４３と、傾斜部４３の先端に交差状に連結する垂直状の取付部４４と、取付部４４の下端と傾斜部４３の下部とに連結される補強部４５とからなるアルミニウム製押出形材にて形成されている。
【００２６】
このように形成されるレール取付部材４は、保持部４２上にレール基部３１とガイド部材３２を互いに連接した状態で載置し、保持部４２の外側から固定ボルト３６を螺合して、レール基部３１とガイド部材３２を固定する。そして、取付部４４を庫体１の取付面に当接した状態で、取付ボルト４１を取付部４４に設けられた取付孔（図示せず）を貫通して庫体１に螺合することにより、レール基部３１とガイド部材３２を強固に固定することができる。
【００２７】
したがって、扉体５の閉止位置及び開放位置に対応させて、レール基部３１とガイド部材３２との連接位置を適宜代えることができるので、案内レール３の加工を容易にすることができると共に、案内レール３及び扉体５の組付けを容易にすることができる。
【００２８】
上記車輪７は、扉体５の上端におけるスライド方向の両端側の２箇所に取り付けられており、案内レール３の逆Ｖ字状レール面３０，３４に対応するＶ形溝７ａと、上述したようにレール面３０，３４を転走する外周縁７ｂとを具備している。また、車輪７は、扉体５の取付状態｛具体的には、扉体５が位置する床部Ｆの凹凸や傾斜状態｝に応じて位置調節が可能となっている。すなわち、扉体５の上端に固定されるＬ形状の吊り具６の垂直片６１に設けられた垂直状の長孔（図示せず）内を摺動可能（上下移動可能）に取り付けられた支持軸６２によって垂直方向に回転自在に装着されている（図２及び図４参照）。なお、吊り具６の垂直片６１の上端には、扉体５が自重によって下がるのを防止するためのストッパ機構６３が設けられている。また、吊り具６には、扉体５の上部を覆う化粧カバー６０が図示しない装着手段によって装着可能に形成されている（図２参照）。
【００２９】
このように形成される車輪７は、案内レール３（具体的には、レール基部３１及びガイド部材３２）上をＶ形溝７ａ及び外周縁７ｂが転走することができると共に、扉体５の閉止及び開放時には案内レール３のガイド部材３２の屈曲部３３に沿って閉止及び開放位置まで移動できる。
【００３０】
一方、上記ストッパ８とロック機構９は、図３に示すように、両案内レール３同士を庫口２の中央部で連結する連結部材１０に装着される取付部材１１に取り付けられている。この場合、連結部材１０は、例えばアルミニウム製の中空矩形状の押出形材にて形成されており、両端開口部内に両案内レール３に連接されたガイド部材３２の嵌合突部３５が嵌合された状態でボルト１２によって固定されている。
【００３１】
上記取付部材１１は、連結部材１０の上部に被着される取付片１３を貫通する取付ボルト１４をもって連結部材１０の上部に立設され、その両端部に折曲される垂直片１５に固定ボルト１６及びナット１７をもってストッパ８が固定されている。この場合、ストッパ８は、截頭円錐状の合成ゴム製部材にて形成されており、中心部には段付き貫通孔８ａが設けられている。このように形成されるストッパ８の段付き貫通孔８ａ内に挿入される固定ボルト１６の頭部１６ａを段付き貫通孔８ａの大径部８ｂ内に収容した状態で、固定ボルト１６を垂直片１５に設けられた透孔（図示せず）内に貫通し、その突出部にナット１７を螺合することで、ストッパ８が取り付けられる。
【００３２】
また、取付部材１１の上端両側には、それぞれ二又状のブラケット片１８が立設されており、各ブラケット片１８に横架される枢軸９１を介して上記ストッパ８の左右両側に延在するアーム９２が水平状に、かつ、鉛直方向に揺動可能に取り付けられている。このアーム９２は断面略逆Ｕ字状に形成され、上記ストッパ８の上方に延在する先端側の自由端部に上記ロック機構９が設けられている。また、アーム９２の後端側の自由端部には、アーム９２を水平状態に維持すべく弾性力を付勢するアーム用のばね部材９３が取り付けられている。なお、このばね部材９３は、必ずしもアーム９２の後端側の自由端部に設けられる必要はなく、例えば枢軸９１部に設けられるねじりコイルばねにて形成してもよい。また、アーム９２を水平状態に維持するものであれば、アーム自体が弾性力を有する部材にて形成してもよい。
【００３３】
上記ロック機構９は、図６及び図７に示すように、アーム９２の先端側の自由端部に横設される支持軸９４に回転及び摺動自在に嵌装される車輪７の溝上部に係脱可能に当接する係止部材であるローラ９５と、このローラ９５とアーム９２の庫体側片９２ａとの間に縮設されるばね部材例えばコイルばね９６とで構成されている。
【００３４】
このように形成されるロック機構９により、扉閉止時の跳ね返りを防ぐだけでなく、車輪７の屈曲部３３による軌道の変化にも対応可能となる。更に、コイルばね９６により扉閉止時に加わる奥行き方向の衝撃からロック機構９を保護することができる。
【００３５】
上記扉体５は、一対の表面板５ａと、これら表面板５ａの辺部間に介在される枠材５ｂと、両表面板５ａ及び枠材５ｂにて形成される空間内に発泡ポリウレタン等の発泡性の断熱性心材５ｃを充填したサンドイッチ構造となっており、この扉体５の庫体１側の上辺及び左右辺には、庫口２の開口縁部に周設されたパッキン受座７１と圧接するパッキング７０が周設されている。また、扉体５の上端には、扉体５の上端に対して高さ調節可能な脱輪防止部材５０が着脱可能に装着されている。また、扉体５の下端部には、床部Ｆに接触するずれパッキング５１が垂下されている（図１及び図２参照）。また、扉体５の召合せ部には、各扉体５の召合せ側端部に装着される召合せパッキング５２が取り付けられている。
【００３６】
なお、庫体１のパッキング取付け部の適宜位置とパッキング受座７１の適宜位置には解凍及び結露水防止用のヒータ（図示せず）が埋設されている。また、扉体５の召合せ側の外側略中央部には取手１００が取り付けられ、両扉体５は召合せ部において錠前２００によって閉止固定されるようになっている。なお、扉体５の開放位置の床部Ｆには、扉体５の下部ストッパ部材５５が取り付けられている（図１参照）。
【００３７】
上記のように形成されるスライド扉において、扉体５を開放位置から閉止する場合、扉体５を閉止側に移動すると、車輪７が案内レール３のレール基部３１上を転動して、ガイド部材３２の屈曲部３３側に沿って走行して、扉体５が庫体１側に偏移した状態で吊り具６がストッパ８に衝突して閉止する。このように扉体５が庫体１側に偏移することによって、扉体５の勢いが減衰され、また、吊り具６がストッパ８に衝突する直前に、ローラ９５が車輪７のＶ形溝７ａの上部に回転しながら係合するので、勢いよく扉体５を閉止した場合でも、衝撃を緩和することができると共に、反動により扉体５が開放側に移動するのを防止することができる。また、扉体５は案内レール３の屈曲部３３に沿って庫体１側に移動されるので、扉体５を閉止位置に密閉状態に維持することができる。
【００３８】
なお、扉体５を開放する場合は、閉止状態にある扉体５を開放方向に移動することにより、車輪７が屈曲部３３に沿って庫体１から離れる方向に移動しようとするが、車輪７のＶ形溝７ａに係合しているローラ９５はコイルばね９６の弾性力によって車輪７の移動に追従して庫体１の外側に移動するので、抵抗が低減される。また、ローラ９５はアーム９２に取り付けられるばね部材９３の弾性力によって車輪７に係合しているが、かかる弾性力による抵抗は非常に小さいので、扉体５を容易に開放移動することができる。
【００３９】
扉体５の開放動作においても、車輪７は案内レール３の屈曲部３３を走行するので、衝撃力が緩和される。また、扉体５を開放した状態においては、庫口２の床面には扉体５の下端を押さえるための部材が突出することがないので、台車を使用して冷蔵庫の庫体１に対して収容物を運搬する場合において、安全に運搬作業等を行うことができる。
【００４０】
なお、上記実施形態では、係止部材がアーム９２に横架される支持軸９４に対して回転及び摺動自在に嵌装されるローラ９５によって形成した場合について説明したが、係止部材は、支持軸９４に摺動自在に嵌装され、かつ、少なくとも下端部が車輪７のＶ形溝７ａの上部に係合可能な弧状凸部を有するものであれば、ローラ９５以外の部材にて形成してもよい。例えば、図８及び図９に示すように、下端に弧状凸部９７を有する略かまぼこ状の係止部材９５Ａによって形成することができる。この場合、係止部材９５Ａの嵌合孔９５ａには、支持軸９４に取り付けられた埋込キー９８に摺動自在に嵌合するキー溝９５ｂが設けられており、係止部材９５Ａは支持軸９４に沿って移動自在に形成されている。なお、係止部材９５Ａの嵌合孔９５ａに埋込キーを取り付け、支持軸９４にキー溝を設けてもよく、あるいは、支持軸９４をスプライン軸にて形成し、係止部材９５の嵌合孔９５ａにスプライン軸に摺動自在に嵌合する溝を設けるようにしてもよい。
【００４１】
なお、上記実施形態では、両開き式のスライド扉について説明したが、この発明のストッパ装置は、必ずしも両開き式のものに限定されるものではなく、片開き式のスライド扉においても適用できることは勿論である。この片開き式の場合には、扉体５の案内レール３に、上記と同様に、ガイド部材３２と、ストッパ８及びロック機構９を設ければよい。
【００４２】
また、上記実施形態では、この発明に係るスライド扉のストッパ装置をプレハブ式の冷蔵庫に適用した場合について説明したが、プレハブ式の冷蔵庫以外の例えばクリーンルーム、保管庫あるいは保冷凍庫等や一般の建物にも同様に適用できることは勿論である。
【図面の簡単な説明】
【００４３】
【図１】この発明に係るスライド扉の一例を示す概略正面図である。
【図２】上記スライド扉の縦断面図である。
【図３】この発明に係るストッパ装置を示す拡大正面図である。
【図４】図３の左側面図である。
【図５】この発明における案内レールを構成するガイド部材を示す斜視図である。
【図６】この発明における案内レールのレール基部を走行中の車輪と係止部材の関係を示す側面図（ａ）及び（ａ）の要部拡大断面図（ｂ）である。
【図７】この発明における案内レールの屈曲部を走行中の車輪と係止部材の関係を示す側面図（ａ）及び（ａ）の要部拡大断面図（ｂ）である。
【図８】この発明における係止部材の別の形態を示す要部正面図である。
【図９】図８のＩ−Ｉ線に沿う断面図（ａ）及び（ａ）の要部拡大断面図（ｂ）である。
【符号の説明】
【００４４】
１  庫体
２  庫口
３  案内レール
５  扉体
７  溝付き車輪
７ａ  Ｖ形溝
８  ストッパ
９  ロック機構
１０  連結部材
１１  取付部材
３３  屈曲部
９１  枢軸
９２  アーム
９３  アーム用ばね部材
９４  支持軸
９５  ローラ（係止部材）
９５Ａ  係止部材
９６  コイルばね（ばね部材）
９７  弧状凸部
【図１】
2006265889.tif 000003
【図２】
2006265889.tif 000004
【図３】
2006265889.tif 000005
【図４】
2006265889.tif 000006
【図５】
2006265889.tif 000007
【図６】
2006265889.tif 000008
【図７】
2006265889.tif 000009
【図８】
2006265889.tif 000010
【図９】
2006265889.tif 000011